(57)【要約】【課題】  携帯での使用に便利なコンピュータのマウスを提供することにある。【解決手段】  コンピュータのマウス１００は主に筐体１１０、第１のカバー１２０および第２のカバー１３０を備える。筐体１１０は第１の端部１１１および第２の端部１１２を有し、第１のカバー１２０は第１の端部１１１に連結し、第２のカバー１３０は第２の端部１１２および第１のカバー１２０に連結しており、第２のカバー１３０および第１のカバー１２０が筐体１１０に対し開位置と閉位置の間を運動するように構成されている。【選択図】図２Ａ
0003123582.tif 000002
【実用新案登録請求の範囲】
【請求項１】
第１の端部および第２の端部を有する筐体と、
前記第１の端部に連結する第１のカバーと、
前記第２の端部および前記第１のカバーに連結する第２のカバーと、を備え、
前記第２のカバーおよび前記第１のカバーが前記筐体に対し開位置と閉位置の間を運動するよう構成されていることを特徴とするコンピュータのマウス。
【請求項２】
前記第１のカバーが第３の端部および第４の端部を有し、前記第２のカバーが第５の端部および第６の端部を有し、前記第３の端部は前記第１の端部に連結し、前記第５の端部は前記第１のカバーの前記第４の端部に連結し、前記第６の端部は前記第２の端部に連結する請求項１記載のコンピュータのマウス。
【請求項３】
前記第３の端部が前記第１の端部に回動自在に連結し、前記第５の端部が前記第４の端部に回動自在に連結し、前記第６の端部が前記第２の端部に摺動自在に連結する請求項２記載のコンピュータのマウス。
【請求項４】
前記マウスが第１のピボットおよび第２のピボットをさらに備え、かつ、前記第２の端部がスライド溝を有し、前記第２のカバーの前記第６の端部がスライド部材を有しており、前記第１のピボットが前記第３の端部と前記第１の端部との間に設けられ、前記第２のピボットが前記第５の端部と前記第４の端部との間に設けられ、前記スライド部材が前記スライド溝を摺動するように構成されている請求項３記載のコンピュータのマウス。
【請求項５】
前記第３の端部が前記第１の端部に摺動自在に連結し、前記第５の端部が前記第４の端部に回動自在に連結し、前記第６の端部が前記第２の端部に摺動自在に連結している請求項２記載のコンピュータのマウス。
【請求項６】
前記マウスがピボットをさらに備え、かつ、前記第１の端部および前記第２の端部がそれぞれに第１のスライド溝および第２のスライド溝を有し、前記第１のカバーの第３の端部が第１のスライド部材を有し、前記第２のカバーの前記第６の端部が第２のスライド部材を有し、前記ピボットが前記第５の端部と前記第４の端部との間に設けられ、前記第１のスライド部材および前記第２のスライド部材が前記第１のスライド溝および前記第２のスライド溝をそれぞれ摺動するように構成されている請求項５記載のコンピュータのマウス。
【請求項７】
前記第３の端部が前記第１の端部に回動自在に連結し、前記第５の端部が前記第４の端部に摺動自在に連結し、前記第６の端部が前記第２の端部に回動自在に連結している請求項２記載のコンピュータのマウス。
【請求項８】
前記マウスが第１のピボットおよび第２のピボットをさらに備え、かつ、前記第１のカバーの前記第４の端部がスライド溝を有し、前記第２のカバーの前記第５の端部がスライド部材を有し、前記第１のピボットが前記第３の端部と前記第１の端部との間に設けられ、前記第２のピボットが前記第６の端部と前記第２の端部との間に設けられ、前記スライド部材が前記スライド溝内を摺動するよう構成されている請求項７記載のコンピュータのマウス。
【請求項９】
前記第３の端部が前記第１の端部に回動自在に連結し、前記第５の端部が前記第４の端部に摺動自在に連結し、前記第６の端部が前記第２の端部に摺動自在に連結する請求項２記載のコンピュータのマウス。
【請求項１０】
前記マウスがピボットをさらに備え、かつ、前記第１のカバーの前記第４の端部が第１のスライド溝を有し、前記第２のカバーの前記第５の端部が第１のスライド部材を有し、前記第２の端部が第２のスライド溝を有し、前記第２のカバーの前記第６の端部が第２のスライド部材を有し、前記ピボットが前記第３の端部と前記第１の端部との間に設けられ、前記第１のスライド部材および前記第２のスライド部材が前記第１のスライド溝および前記第２のスライド溝内をそれぞれ摺動するように構成されている請求項９記載のコンピュータのマウス。
【請求項１１】
前記第３の端部が前記第１の端部に摺動自在に連結し、前記第５の端部が前記第４の端部に摺動自在に連結し、前記第６の端部が前記第２の端部に摺動自在に連結する請求項２記載のコンピュータのマウス。
【請求項１２】
前記第１の端部が第１のスライド溝を有し、前記第１のカバーの前記第３の端部が第１のスライド部材を有し、前記第１のカバーの前記第４の端部が第２のスライド溝を有し、前記第２のカバーの前記第５の端部が第２のスライド部材を有し、前記第２の端部が第３のスライド溝を有し、前記第２のカバーの前記第６の端部が第３のスライド部材を有しており、前記第１のスライド部材、前記第２のスライド部材および前記第３のスライド部材が、前記第１のスライド溝、前記第２のスライド溝および前記第３のスライド溝内をそれぞれ摺動するように構成されている請求項１１記載のコンピュータのマウス。
【請求項１３】
前記筐体中に回転自在に設置されたボビンと、前記筐体に連接していると共に前記ボビンと離隔可能に当接して、前記ボビンの回転位置を位置決めする係合部と、をさらに備える請求項1記載のコンピュータのマウス。
【請求項１４】
前記ボビンが、環状面、および前記環状面上に均等間隔で配置された複数の位置決め部を有し、前記係合部が、前記筐体に固定される固定部、および前記複数の位置決め部のうちの１つと離隔可能に当接する弾性当接部を有する請求項１３記載のコンピュータのマウス。
【請求項１５】
前記係合部が、前記弾性当接部に対向すると共に前記筐体から突出する解除ボタンをさらに有し、前記解除ボタンが押されると、前記弾性当接部が前記複数の位置決め部のうちの１つから離隔するよう構成されている請求項１４記載のコンピュータのマウス。
【請求項１６】
前記複数の位置決め部が突起である請求項１４記載のコンピュータのマウス。
【請求項１７】
前記筐体が、コネクタを収容するコネクタ収容溝をさらに有する請求項１記載のコンピュータのマウス。
【請求項１８】
前記筐体が、前記コネクタ収容溝内に形成されて前記コネクタを係止し固定する弾性リブをさらに有する請求項１７記載のコンピュータのマウス。
【請求項１９】
前記コネクタ収容溝が、第１の溝部、および前記第１の溝部につながると共に前記第１の溝部より傾斜しながら延びる第２の溝部を有する請求項１８記載のコンピュータのマウス。
【請求項２０】
筐体と、
環状面、および前記環状面上に均等間隔で配置された複数の位置決め部を有するボビンと、
前記筐体に固定される固定部、および前記複数の位置決め部のうちの１つと離隔可能に当接する弾性当接部を有する係合部と、を備えることを特徴とするコンピュータのマウス。
【請求項２１】
前記係合部が、前記弾性当接部に対向すると共に前記筐体から突出する解除ボタンをさらに有し、前記解除ボタンが押されると、前記弾性当接部が前記複数の位置決め部のうちの１つから離隔するよう構成されている請求項２０記載のコンピュータのマウス。
【請求項２２】
筐体と、
第１の溝部、および前記第１の溝部につながると共に前記第１の溝部より傾斜しながら延びる第２の溝部を有する収容溝と、を備えることを特徴とするコンピュータのマウス。
【請求項２３】
少なくとも１つの貫通孔を有する筐体と、
前記筐体内に配置される回路板と、
前記筐体の前記貫通孔に対応し該貫通孔内に収められる突出部を有し、前記回路板上に配設される素子と、を備えることを特徴とするコンピュータのマウス。
【考案の詳細な説明】
【技術分野】
【０００１】
本考案は電子装置構造体に関し、特に、相対運動する第１のカバーと第２のカバーを備える電子装置構造体であるコンピュータのマウスに関するものである。
【背景技術】
【０００２】
特許文献１に開示されている伸縮式ポインティングデバイス（マウス）は、長さが変更できるよう、その中間部に間隙ができる構成となっている。しかし、この伸縮式ポインティングデバイス（マウス）では高さを変更または調整することはできない。
【特許文献１】台湾特許出願公告第３４３７６２号明細書
【考案の開示】
【考案が解決しようとする課題】
【０００３】
本考案の目的は、携帯での使用に便利な電子装置構造体であるコンピュータのマウスを提供することにある。
【課題を解決するための手段】
【０００４】
本考案が提供するコンピュータのマウスは、第１の端部および第２の端部を有する筐体と、前記第１の端部に連結する第１のカバーと、前記第２の端部および前記第１のカバーに連結する第２のカバーと、を備え、前記第２のカバーおよび前記第１のカバーが前記筐体に対し開位置と閉位置の間を運動するよう構成されている。
【０００５】
前記第１のカバーが第３の端部および第４の端部を有し、前記第２のカバーが第５の端部および第６の端部を有し、前記第３の端部は前記第１の端部に連結し、前記第５の端部は前記第１のカバーの前記第４の端部に連結し、前記第６の端部は前記第２の端部に連結することが好ましい。
【０００６】
前記第３の端部が前記第１の端部に回動自在に連結し、前記第５の端部が前記第４の端部に回動自在に連結し、前記第６の端部が前記第２の端部に摺動自在に連結することが好ましい。
【０００７】
前記マウスが第１のピボットおよび第２のピボットをさらに備え、かつ、前記第２の端部がスライド溝を有し、前記第２のカバーの前記第６の端部がスライド部材を有し、前記第１のピボットが前記第３の端部と前記第１の端部との間に設けられ、前記第２のピボットが前記第５の端部と前記第４の端部との間に設けられ、前記スライド部材が前記スライド溝内で摺動するように構成されていることが好ましい。
【０００８】
前記第３の端部が前記第１の端部に摺動自在に連結し、前記第５の端部が前記第４の端部に回動自在に連結し、前記第６の端部が前記第２の端部に摺動自在に連結していることが好ましい。
【０００９】
前記マウスがピボットをさらに備え、かつ、前記第１の端部および前記第２の端部がそれぞれに第１のスライド溝および第２のスライド溝を有し、前記第１のカバーの第３の端部が第１のスライド部材を有し、前記第２のカバーの前記第６の端部が第２のスライド部材を有し、前記ピボットが前記第５の端部と前記第４の端部との間に設けられ、前記第１のスライド部材および前記第２のスライド部材が前記第１のスライド溝および前記第２のスライド溝をそれぞれ摺動するように構成されていることが好ましい。
【００１０】
前記第３の端部が前記第１の端部に回動自在に連結し、前記第５の端部が前記第４の端部に摺動自在に連結し、前記第６の端部が前記第２の端部に回動自在に連結していることが好ましい。
【００１１】
前記マウスが第１のピボットおよび第２のピボットをさらに備え、かつ、前記第１のカバーの前記第４の端部がスライド溝を有し、前記第２のカバーの前記第５の端部がスライド部材を有し、前記第１のピボットが前記第３の端部と前記第１の端部との間に設けられ、前記第２のピボットが前記第６の端部と前記第２の端部との間に設けられ、前記スライド部材が前記スライド溝内を摺動するように構成されていることが好ましい。
【００１２】
前記第３の端部が前記第１の端部に回動自在に連結し、前記第５の端部が前記第４の端部に摺動自在に連結し、前記第６の端部が前記第２の端部に摺動自在に連結することが好ましい。
【００１３】
前記マウスがピボットをさらに備え、かつ、前記第１のカバーの前記第４の端部が第１のスライド溝を有し、前記第２のカバーの前記第５の端部が第１のスライド部材を有し、前記第２の端部が第２のスライド溝を有し、前記第２のカバーの前記第６の端部が第２のスライド部材を有し、前記ピボットが前記第３の端部と前記第１の端部との間に設けられ、前記第１のスライド部材および前記第２のスライド部材が前記第１のスライド溝および前記第２のスライド溝内をそれぞれ摺動するよう構成されていることが好ましい。
【００１４】
前記第３の端部が前記第１の端部に摺動自在に連結し、前記第５の端部が前記第４の端部に摺動自在に連結し、前記第６の端部が前記第２の端部に摺動自在に連結することが好ましい。
【００１５】
前記第１の端部が第１のスライド溝を有し、前記第１のカバーの前記第３の端部が第１のスライド部材を有し、前記第１のカバーの前記第４の端部が第２のスライド溝を有し、前記第２のカバーの前記第５の端部が第２のスライド部材を有し、前記第２の端部が第３のスライド溝を有し、前記第２のカバーの前記第６の端部が第３のスライド部材を有しており、前記第１のスライド部材、前記第２のスライド部材および前記第３のスライド部材が、前記第１のスライド溝、前記第２のスライド溝および前記第３のスライド溝内をそれぞれ摺動するように構成されていることが好ましい。
【００１６】
前記マウスが、前記筐体中に回転自在に設置されたボビンと、前記筐体に連結すると共に前記ボビンと離隔可能に当接して、前記ボビンの回転位置を位置決めする係合部と、をさらに備えることが好ましい。
【００１７】
前記ボビンが、環状面、および前記環状面上に均等間隔で配置された複数の位置決め部を有し、前記係合部が、前記筐体に固定される固定部、および前記複数の位置決め部のうちの１つと離隔可能に当接する弾性当接部を有することが好ましい。
【００１８】
前記係合部が、前記弾性当接部に対向すると共に前記筐体から突出する解除ボタンをさらに有し、前記解除ボタンが押されると、前記弾性当接部が前記複数の位置決め部のうちの１つから離隔するよう構成されていることが好ましい。
【００１９】
前記複数の位置決め部が突起であることが好ましい。
【００２０】
前記筐体が、コネクタを収容するコネクタ収容溝をさらに有することが好ましい。
【００２１】
前記筐体が、前記コネクタ収容溝内に形成されて前記コネクタを係止し固定する弾性リブをさらに有することが好ましい。
【００２２】
前記コネクタ収容溝が、第１の溝部、および前記第１の溝部につながると共に前記第１の溝部より傾斜しながら延びる第２の溝部を有することが好ましい。
【００２３】
また、一実施形態による本考案のコンピュータのマウスは、筐体と、環状面、および前記環状面上に均等間隔で配置された複数の位置決め部を有するボビンと、前記筐体に固定される固定部、および前記複数の位置決め部のうちの１つと離隔可能に当接する弾性当接部を有する係合部と、を備える。
【００２４】
前記係合部が、前記弾性当接部に対向すると共に前記筐体から突出する解除ボタンをさらに有し、前記解除ボタンが押されると、前記弾性当接部が前記複数の位置決め部のうちの１つから離隔するよう構成されていることが好ましい。
【００２５】
また、一実施形態による本考案のコンピュータのマウスは、筐体と、第１の溝部、および前記第１の溝部につながると共に前記第１の溝部より傾斜しながら延びる第２の溝部を有する収容溝と、を備える。
【００２６】
また、一実施形態による本発明に係るコンピュータのマウスは、少なくとも１つの貫通孔を有する筐体と、前記筐体内に配置される回路板と、前記筐体の前記貫通孔に対応し該貫通孔内に収められる突出部を有し、前記回路板上に配設される素子と、を備える。
【考案の効果】
【００２７】
本考案によれば、電子装置構造体であるコンピュータのマウスの高さ調整も可能となるため、携帯して利用するのに非常に便利である。
【考案を実施するための最良の形態】
【００２８】
以下に、図面と対応させながら、本考案の好ましい実施形態を挙げて詳細に説明する。
【００２９】
［第１実施形態］
図１Ａ、図１Ｂ、図２Ａおよび図３Ａを参照されたい。本考案の第１実施形態に係るコンピュータのマウス１００は、主に筐体１１０、第１のカバー１２０、第２のカバー１３０、第１のピボット１４０、第２のピボット１５０、ボビン１６０および係合部１７０を備えてなる。
【００３０】
図２Ａに示されるように、筐体１１０は第１の端部１１１および第２の端部１１２を有している。これら第１の端部１１１と第２の端部１１２とは互いに対向しており、さらに、第２の端部１１２はスライド溝１１２ａを有している。本実施形態では、第１の端部１１１および第２の端部１１２は筐体１１０の側壁Ｗ上に位置し、かつ第２の端部１１２のスライド溝１１２ａも筐体１１０の側壁Ｗ上に配置されている。
【００３１】
第１のカバー１２０は、筐体１１０の第１の端部１１１に連結し、かつ第３の端部１２１および第４の端部１２２を備えている。第３の端部１２１は、第４の端部１２２に対向していると共に、筐体１１０の第１の端部１１１に回動自在に連結している。より詳細に言うと、第３の端部１２１と第１の端部１１１との間に第１のピボット１４０が設けられているので、第１のカバー１２０は筐体１１０に対して回動可能となっている、ということである。
【００３２】
第２のカバー１３０は、筐体１１０の第２の端部１１２および第１のカバー１２０に連結し、かつ第５の端部１３１および第６の端部１３２を備えている。第５の端部１３１は第６の端部１３２に対向していると共に、第１のカバー１２０の第４の端部１２２に回動自在に連結している。また、第６の端部１３２は、筐体１１０の第２の端部１１２に摺動自在に連結している。より詳細に言うと、第２のカバー１３０の第５の端部１３１と第１のカバー１２０の第４の端部１２２との間に第２のピボット１５０が設けられ、かつ、第６の端部１３２が、筐体１１０の第２の端部１１２のスライド溝１１２ａ内を摺動可能なスライド部材１３２ａを有しているため、第２のカバー１３０は第１のカバー１２０に対して回動可能であると共に、筐体１１０に対して摺動可能となっている、ということである。
【００３３】
上述の構成より、第２のカバー１３０および第１のカバー１２０は、筐体１１０に対し、図１Ｂに示すような開位置と図１Ａに示すような閉位置との間を運動可能となる。すなわち、マウス１００の使用時は、第２のカバー１３０および第１のカバー１２０を筐体１１０に対し運動させて開位置まで動かせば、手で握り易い状態となり、一方、マウス１００の不使用時には、第２のカバー１３０および第１のカバー１２０を筐体１１０に対し運動させて閉位置まで動かせば、携帯または収納に便利な状態となる。ここで特に注目すべきことは、図２Ａから分るように、筐体１１０のスライド溝１１２ａには弾性が備わっていると共に複数の凹陥部が設けられているので、第２のカバー１３０のスライド部材１３２ａはスライド溝１１２ａを摺動し選択的にそのうちの１つの凹陥部まで移動可能であり、よって、第２のカバー１３０と第１のカバー１２０が筐体１１０に対し運動してそれぞれ異なる開位置まで動き得るようになるという点である。さらに、第１のカバー１２０と第２のカバー１３０に誤って触れ、これらが開位置から閉位置へと動いてしまわないように、第１のピボット１４０または第２のピボット１５０近傍にバネ板（図示せず）を設置して、第１のカバー１２０と第２のカバー１３０との間の抗力を強めてもよい。
【００３４】
図３Ａおよび図３Ｂに示されるように、筐体１１０中にはボビン１６０が回転自在に設置されている。このボビン１６０は環状面１６１、および環状面１６１上に均等な間隔で配置された複数の位置決め部１６２を備えている。本実施形態において、位置決め部１６２は突起である。また、ボビン１６０内にさらに螺旋バネ（図示せず）を設けてもよく、その場合に、この螺旋バネは筐体１１０の連結柱体１１３に巻装され、かつ連結柱体１１３とボビン１６０の連結部１６３との間でこれらに連接する。このような構成により、ボビン１６０を回転させると、ボビン１６０は螺旋バネの提供する弾性復元力によって回り、初期位置まで戻る。また、（図３Ｄに示す）コネクタＣの接続線Ｌをボビン１６０の環状面１６１に巻着することもできる。
【００３５】
図３Ａに示されるように、係合部１７０は筐体１１０に連接しており、かつ離隔可能にボビン１６０に当接する。より詳細には次のとおりである。図３Ａ、図３Ｂ、図３Ｃおよび図３Ｄに示されるように、係合部１７０は、固定部１７１、弾性当接部１７２および解除ボタン１７３を備えている。固定部１７１は筐体１１０に固定され、弾性当接部１７２は離隔可能にボビン１６０の位置決め部１６２のうちの１つに当接し、解除ボタン１７３は弾性当接部１７２に対向していると共に、筐体１１０から突出している。このような構成により、使用者がコネクタＣの接続線Ｌを引くと、これに伴ってボビン１６０が回転し、接続線Ｌを引くのを止めると、係合部１７０の弾性当接部１７２がボビン１６０における位置決め部１６２のうちの１つに当接し、これによってボビン１６０の回転位置が位置決めされると共に、接続線Ｌの引き出される長さが固定されることとなる。そして、接続線Ｌを筐体１１０内に収めようとする際には、係合部１７０の解除ボタン１７３を押しさえすれば、係合部１７０の弾性当接部１７２が位置決め部１６２から離隔すると同時に、ボビン１６０が螺旋バネの提供する弾性復元力により回転して初期位置に戻り、接続線Ｌがこれに伴ってボビン１６０の環状面１６１に巻き取られることとなる。
【００３６】
さらに、図３Ｄに示されるように、筐体１１０は、コネクタＣ（例えばＵＳＢコネクタ）を収容するコネクタ収容溝１１４と、このコネクタ収容溝１１４内に形成された弾性リブ１１５を備える。より詳細には次のとおりである。コネクタ収容溝１１４は、第１の溝部１１４ａと、第１の溝部１１４ａにつながると共に、第１の溝部１１４ａより傾斜しながら延びる第２の溝部１１４ｂとを有している。弾性リブ１１５は第１の溝部１１４ａの壁面上に形成される。コネクタＣをコネクタ収容部１１４中に収容する際、コネクタＣの本体Ｃ１は弾性リブ１１５に係止されて固定される。一方、コネクタ収容溝１１４からコネクタＣを取り出す際には、コネクタＣの接続端Ｃ２を押すだけでよく、このようにすると、接続端Ｃ２は第２の溝部１１４ｂの方へ回動し、本体Ｃ１が弾性リブ１１５から離脱することとなる。
【００３７】
また、図４に示されるように、マウス１００は回路板１８０をさらに含み、筐体１１０は複数の貫通孔１１６をさらに備えている。回路板１８０は筐体１１０中に配置され、かつ、その上に複数の電子素子１９０を配設させている。特に注目すべきことは、各電子素子１９０は突出部（例えばピン）１９１をそれぞれ有し、これら各突出部１９１は筐体１１０の各貫通孔１１６にそれぞれ対応しているという点である。このような構成により、回路板１８０と電子素子１９０が筐体１１０内にセットされると、電子素子１９０の突出部１９１は筐体１１０の貫通孔１１６中に収まるので、筐体１１０の高さ、ひいてはマウス１００の高さが有効に低減されることになる。なお、本第１実施形態による構成は、マウスの他、手持ちサイズの電子装置や携帯電話にも適用可能である。
【００３８】
［第２実施形態］
以下、第２実施形態の説明にあたり、前記第１実施形態と同じ構成要素にはいずれも同じ符号を付して示す。
【００３９】
図２Ｂに示されるように、本第２実施形態に係るマウス１００ａが前記第１実施形態に係るマウス１００と異なるのは、筐体１１０、第１のカバー１２０および第２のカバー１３０の連結構造である。
【００４０】
図２Ｂを見ると分るように、第１のカバー１２０の第３の端部１２１は筐体１１０の第１の端部１１１に摺動自在に連結し、第２のカバー１３０の第５の端部１３１は第１のカバー１２０の第４の端部１２２に回動自在に連結し、かつ第２のカバー１３０の第６の端部１３２は筐体１１０の第２の端部１１２に摺動自在に連結している。より詳細には次のような構成となっている。第１の端部１１１および第２の端部１１２は第１のスライド溝１１１ａおよび第２のスライド溝１１２ｂをそれぞれに備え、第３の端部１２１は第１のスライド部材１２１ａを、第６の端部１３２は第２のスライド部材１３２ｂをそれぞれ備える。第５の端部１３１と第４の端部１２２の間にはピボット１５０ａが設けられており、第１のカバー１２０は第２のカバー１３０に対して回動可能となっている。さらに、第１のスライド部材１２１ａおよび第２のスライド部材１３２ｂが第１のスライド溝１１１ａおよび第２のスライド溝１１２ｂをそれぞれ摺動するようになっているので、第１のカバー１２０および第２のカバー１３０は筐体１１０に対して摺動可能となる。
【００４１】
上述の構成より、第２のカバー１３０および第１のカバー１２０は、筐体１１０に対し、開位置と閉位置との間を運動可能となっている。
【００４２】
また本第２実施形態でも同様に、筐体１１０の第１のスライド溝１１１ａおよび第２のスライド溝１１２ｂが複数の凹陥部をそれぞれ有していることより、第１のカバー１２０の第１のスライド部材１２１ａおよび第２のカバーのスライド部材１３２ａは第１のスライド溝１１１ａおよび第２のスライド溝１１２ｂを摺動し、それぞれ選択的にそのうちの１つの凹陥部まで移動できるようになっている。これによって、第２のカバー１３０および第１のカバー１２０は、筐体１１０に対して運動し、それぞれ異なる開位置まで動き得るようになっている。
【００４３】
本第２実施形態におけるその他の構成要素の構造や特徴はいずれも前記第１実施形態と同じであるため、簡単のためにこれらの説明は省くこととする。なお、本第２実施形態による構成は、マウスの他、手持ちサイズの電子装置や携帯電話にも適用可能である。
【００４４】
［第３実施形態］
以下、第３実施形態の説明にあたり、前記第１実施形態と同じ構成要素にはいずれも同じ符号を付して示す。
【００４５】
図２Ｃに示されるように、本第３実施形態に係るマウス１００ｂが前記第１実施形態に係るマウス１００と異なるのは、筐体１１０、第１のカバー１２０および第２のカバー１３０の連結構造である。
【００４６】
図２Ｃを見ると分るように、第１のカバー１２０の第３の端部１２１は筐体１１０の第１の端部１１１に回動自在に連結し、第２のカバー１３０の第５の端部１３１は第１のカバー１２０の第４の端部１２２に摺動自在に連結し、かつ第２のカバー１３０の第６の端部１３２は筐体１１０の第２の端部１１２に回動自在に連結している。より詳細には次のような構成となっている。第４の端部１２２はスライド溝１２２ａを備え、第５の端部１３１はスライド溝１２２ａにて摺動するスライド部材１３１ａを備えており、第１のカバー１２０が第２のカバー１３０に対して摺動可能となっている。また、第３の端部１２１と第１の端部１１１との間には第１のピボット１４０が設けられており、第１のカバー１２０が筐体１１０に対して回動可能となっている。さらに第６の端部１３２と第２の端部１１２との間には第２のピボット１９５が設けられており、第２のカバー１３０が筐体１１０に対して回動可能となっている。
【００４７】
上述の構成より、第２のカバー１３０および第１のカバー１２０は、筐体１１０に対し、開位置と閉位置との間を運動可能となっている。
【００４８】
また本第３実施形態でも同様に、第１のカバー１２０のスライド溝１２２ａが複数の凹陥部を有していることより、第２のカバー１３０のスライド部材１３１ａはスライド溝１２２ａを摺動し、選択的にそのうちの１つの凹陥部まで移動できるようになっている。よって、第２のカバー１３０および第１のカバー１２０は、筐体１１０に対して運動し、それぞれ異なる開位置に動き得るようになっている。なお、本第３実施形態による構成は、マウスの他、手持ちサイズの電子装置や携帯電話にも適用可能である。
【００４９】
本第３実施形態におけるその他の構成要素の構造や特徴はいずれも前記第１実施形態と同じであるため、簡単のためにこれらの説明は省くこととする。
【００５０】
［第４実施形態］
以下、第４実施形態の説明にあたり、前記第１実施形態と同じ構成要素にはいずれも同じ符号を付して示す。
【００５１】
図２Ｄに示されるように、本第４実施形態に係るマウス１００ｃが前記第１実施形態に係るマウス１００と異なるのは、筐体１１０、第１のカバー１２０および第２のカバー１３０の連結構造である。
【００５２】
図２Ｄを見ると分るように、第１のカバー１２０の第３の端部１２１は筐体１１０の第１の端部１１１に回動自在に連結し、第２のカバー１３０の第５の端部１３１は第１のカバー１２０の第４の端部１２２に摺動自在に連結し、かつ第２のカバー１３０の第６の端部１３２は筐体１１０の第２の端部１１２に摺動自在に連結している。より詳細には次のような構成となっている。第４の端部１２２は第１のスライド溝１２２ｂを備え、第２の端部１１２は第２のスライド溝１１２ｂを備える。そして、第５の端部１３１は第１のスライド溝１２２ｂ内を摺動する第１のスライド部材１３１ｂを備え、第６の端部１３２は第２のスライド溝１１２ｂ内を摺動する第２のスライド部材１３２ｂを備える。これによって、第２のカバー１３０が第１のカバー１２０と筐体１１０に対してそれぞれ摺動可能となる。また、第３の端部１２１と第１の端部１１１との間にはピボット１４０ａが設けられており、第１のカバー１２０が筐体１１０に対して回動可能となっている。
【００５３】
上述の構成より、第２のカバー１３０および第１のカバー１２０は、筐体１１０に対し、開位置と閉位置との間を運動可能となっている。
【００５４】
また本第４実施形態でも同様に、第１のカバー１２０の第１のスライド溝１２２ｂおよび筐体１１０の第２のスライド溝１１２ｂが複数の凹陥部をそれぞれ有していることより、第２のカバー１３０の第１のスライド部材１３１ｂおよび第２のスライド部材１３２ｂは、第１のスライド溝１２２ｂおよび第２のスライド溝１１２ｂを摺動し、それぞれ選択的にそのうちの１つの凹陥部まで移動できるようになっている。これによって、第２のカバー１３０および第１のカバー１２０は、筐体１１０に対して運動し、それぞれ異なる開位置に動き得ることになる。なお、本第４実施形態による構成は、マウスの他、手持ちサイズの電子装置や携帯電話にも適用可能である。
【００５５】
本第４実施形態におけるその他の構成要素の構造や特徴はいずれも前記実施例１と同じであるため、簡単のためにこれらの説明は省くこととする。
【００５６】
［第５実施形態］
以下、第５実施形態の説明にあたり、前記第１実施形態と同じ構成要素にはいずれも同じ符号を付して示す。
【００５７】
図２Ｅに示されるように、本第５実施形態に係るマウス１００ｄが前記第１実施形態に係るマウス１００と異なるのは、筐体１１０、第１のカバー１２０および第２のカバー１３０の連結構造である。
【００５８】
図２Ｅを見ると分るように、第１のカバー１２０の第３の端部１２１は筐体１１０の第１の端部１１１に摺動自在に連結し、第２のカバー１３０の第５の端部１３１は第１のカバー１２０の第４の端部１２２に摺動自在に連結し、かつ第２のカバー１３０の第６の端部１３２は筐体１１０の第２の端部１１２に摺動自在に連結している。より詳細には次のような構成となっている。第１の端部１１１は第１のスライド溝１１１ａを備え、第３の端部１２１は、第１のスライド溝１１１ａ内を摺動する第１のスライド部材１２１ａを備える。第４の端部１２２は第２のスライド溝１２２ｃを備え、第５の端部１３１は、第２のスライド溝１２２ｃ内を摺動する第２のスライド部材１３１ｃを備える。第２の端部１１２は第３のスライド溝１１２ｃを備え、第６の端部１３２は、第３のスライド溝１１２ｃ内を摺動する第３のスライド部材１３２ｃを備える。このような構成により、第１のカバー１２０、第２のカバー１３０および筐体が、互いに対してそれぞれ摺動可能となる。
【００５９】
上述の構成より、第２のカバー１３０および第１のカバー１２０は、筐体１１０に対し、開位置と閉位置との間を運動可能となっている。
【００６０】
また本第５実施形態でも同様に、第１のスライド溝１１１ａ、第２のスライド溝１２２ｃおよび第３のスライド溝１１２ｃが複数の凹陥部をそれぞれ有していることより、第１のスライド部材１２１ａ、第２のスライド部材１３１ｃおよび第３のスライド部材１３２ｃは、第１のスライド溝１１１ａ、第２のスライド溝１２２ｃおよび第３のスライド溝１１２ｃを摺動し、それぞれ選択的にそのうちの１つの凹陥部まで移動できるようになっている。これによって、第２のカバー１３０および第１のカバー１２０は、筐体１１０に対して運動し、それぞれ異なる開位置に動き得ることになる。なお、電子装置はマウス、手持ちサイズの電子装置、または携帯電話であり得る。
【００６１】
本第５実施形態におけるその他の構成要素の構造や特徴はいずれも前記第１実施形態と同じであるため、簡単のためにこれらの説明は省くこととする。
【００６２】
以上、本考案を好ましい実施形態により開示したが、これらは本考案を限定するものではなく、本考案の精神および範囲を逸脱しない限りにおいて本考案は変更および修正が可能である。すなわち、本考案の保護範囲は、添付の実用新案登録範囲の記載が基準となるものである。
【図面の簡単な説明】
【００６３】
【図１Ａ】本考案の第１実施形態に係るコンピュータのマウスの閉位置状態における斜視図である。
【図１Ｂ】図１Ａに示すコンピュータのマウスの開位置状態における斜視図である。
【図２Ａ】図１Ａに示すコンピュータのマウスの側面図である。
【図２Ｂ】本考案の第２実施形態に係るコンピュータのマウスの側面図である。
【図２Ｃ】本考案の第３実施形態に係るコンピュータのマウスの側面図である。
【図２Ｄ】本考案の第４実施形態に係るコンピュータのマウスの側面図である。
【図２Ｅ】本考案の第５実施形態に係るコンピュータのマウスの側面図である。
【図３Ａ】図１Ａに示す本考案の第１実施形態に係るコンピュータのマウスの内部構造を示す斜視図である。
【図３Ｂ】図３Ａに示すコンピュータのマウスの上面図である。
【図３Ｃ】図３Ａに示すコンピュータのマウスの底面図である。
【図３Ｄ】図３Ａに示すコンピュータのマウスの側面図である。
【図４】図３Ａに示すコンピュータのマウスの分解斜視図である。
【符号の説明】
【００６４】
１００、１００ａ〜１００ｄ  コンピュータのマウス
１１０                      筐体
１１１                      第１の端部
１１１ａ、１２２ｂ          第１のスライド溝
１１２                      第２の端部
１１２ａ、１２２ａ          スライド溝
１１２ｂ、１２２ｃ          第２のスライド溝
１１２ｃ                    第３のスライド溝
１１３                      連結柱体
１１４                      コネクタ収容溝
１１４ａ                    第１の溝部
１１４ｂ                    第２の溝部
１１５                      弾性リブ
１１６                      貫通孔
１２０                      第１のカバー
１２１                      第３の端部
１２１ａ、１３１ｂ          第１のスライド部材
１２２                      第４の端部
１３０                      第２のカバー
１３１                      第５の端部
１３１ａ、１３２ａ          スライド部材
１３２                      第６の端部
１３１ｃ、１３２ｂ          第２のスライド部材
１３２ｃ                    第３のスライド部材
１４０                      第１のピボット
１５０、１９５              第２のピボット
１４０ａ、１５０ａ          ピボット
１６０                      ボビン
１６１                      環状面
１６２                      位置決め部
１６３                      連結部
１７０                      係合部
１７１                      固定部
１７２                      弾性当接部
１７３                      解除ボタン
１８０                      回路板
１９０                      電子素子
１９１                      突出部
Ｃ                          コネクタ
Ｃ１                        本体
Ｃ２                        接続端
Ｌ                          接続線
Ｗ                          側壁
【図１Ａ】
0003123582.tif 000003
【図１Ｂ】
0003123582.tif 000004
【図２Ａ】
0003123582.tif 000005
【図２Ｂ】
0003123582.tif 000006
【図２Ｃ】
0003123582.tif 000007
【図２Ｄ】
0003123582.tif 000008
【図２Ｅ】
0003123582.tif 000009
【図３Ａ】
0003123582.tif 000010
【図３Ｂ】
0003123582.tif 000011
【図３Ｃ】
0003123582.tif 000012
【図３Ｄ】
0003123582.tif 000013
【図４】
0003123582.tif 000014